(57)【要約】   本発明は、薬剤容器とともに用いられる吸入装置に関し、該薬剤容器は、密封されたポケット又はひだに折り畳まれた単一シートによって形成されることを特徴とする。ポケット又はひだの各々は、圧電素子を使用するためにエアゾール化された薬剤を包含する。該吸入装置は、密封されたポケット又はひだを引き剥がすことによってブリスターを開口させる機構を含む。【選択図】図５
2007522840.tif 000002
【特許請求の範囲】
【請求項１】
吸入装置において用いられる薬剤容器において：
２つ折りにされて、内向き壁部を有する少なくとも１個のひだを形成するシート状材料からなり、前記内向き壁部の少なくとも一部分は、互いに貼り合わされて薬剤用ポケットを形成することを特徴とする薬剤容器。
【請求項２】
前記ポケット内に薬物を有する、請求項１に記載の容器。
【請求項３】
複数個の離間するポケットを有する単一シートからなる、請求項１に記載の容器。
【請求項４】
前記単一シートは生体適合材料により形成される、請求項１に記載の容器。
【請求項５】
各々の前記ポケットは測定された量の薬剤を保持する、請求項３に記載の容器。
【請求項６】
前記薬剤は乾燥散剤からなることを特徴とする、請求項５に記載の容器。
【請求項７】
吸入装置に用いられる薬剤容器において：
折り畳まれて複数個のポケットを形成された単一の細長テープからなり、各々の前記ポケットは、薬剤を内包することを特徴とする薬剤容器。
【請求項８】
各ポケットは、自身の縁部に隣接して密封されることを特徴とする、請求項７に記載の容器。
【請求項９】
複数個の隣り合ったポケットを含む、請求項７に記載の容器。
【請求項１０】
前記複数個のポケットの少なくともいくつかは異なる薬剤を内包することを特徴とする、請求項８に記載の容器。
【請求項１１】
前記ポケットの縁部は密封されることを特徴とする、請求項８に記載の容器。
【請求項１２】
前記ポケットの縁部はヒートシールされることを特徴とする、請求項１１に記載の容器。
【請求項１３】
前記ポケットの縁部は接着剤により密封されることを特徴とする、請求項１１に記載の容器。
【請求項１４】
前記テープは三層体からなることを特徴とする、請求項１１に記載の容器。
【請求項１５】
前記テープはプラスチックフィルムとアルミニウム箔との三層体からなることを特徴とする、請求項１４に記載の容器。
【請求項１６】
アコーディオン状に折り畳まれる複数個のポケット１２を含む、請求項７に記載の容器。
【請求項１７】
前記薬剤は乾燥散剤からなることを特徴とする、請求項７に記載の容器。
【請求項１８】
細長シートを折り畳んでポケットを形成させる段階と；
薬物を前記ポケット内に入れる段階と；
前記ポケットの縁部を密封して前記薬物を内包させる段階と、からなることを特徴とする薬物保管装置の製造方法。
【請求項１９】
前記ポケットの前記縁部は、熱または接着剤を用いて密封されることを特徴とする請求項１８に記載の薬物保管装置の製造方法。
【請求項２０】
ひだを設けられた細長シートを用意する段階と；
薬物を少なくとも１個の前記ひだ内に入れる段階と；
前記ひだの縁部を密封して前記薬物を内包させる段階と、からなることを特徴とする薬物保管装置の製造方法。
【請求項２１】
請求項７に記載の薬剤容器とともに用いられる吸入装置において：
前記薬剤を非凝集化する機構を備えるチャンバと；
各ポケットを前記チャンバまで前進させるとともに、前記チャンバ内において前記ポケットを開口させる機構と；
非凝集化された薬剤を前記チャンバから運ぶ空気流通路と、からなることを特徴とする吸入装置。
【請求項２２】
前記薬剤容器は巻物状の形態をとることを特徴とする、請求項２１に記載の吸入装置。
【請求項２３】
前記薬剤容器はひだを設けられたテープの形態をとることを特徴とする、請求項２１に記載の吸入装置。
【請求項２４】
前記薬剤容器はカートリッジの形態をとることを特徴とする、請求項２３に記載の吸入装置。
【請求項２５】
前記カートリッジは使い捨て型であることを特徴とする、請求項２４に記載の吸入装置。
【請求項２６】
前記カートリッジは電源を含むことを特徴とする、請求項２４に記載のブリスターパック。
【請求項２７】
前記薬剤を非凝集化する前記機構は振動子からなることを特徴とする、請求項２１に記載の吸入装置。
【請求項２８】
前記振動子は圧電振動子からなることを特徴とする、請求項２７に記載の吸入装置。
【請求項２９】
２個以上の圧電振動子からなることを特徴とする、請求項２８に記載の吸入装置。
【請求項３０】
請求項１に記載の薬剤容器とともに用いられる吸入装置において：
前記薬剤容器を受けるとともに、前記容器を開口させて前記薬物を露出させる機構と；
前記薬物を患者まで運ぶ空気流通路と、を含むことを特徴とする吸入装置。
【請求項３１】
請求項７に記載の薬剤容器とともに用いられる吸入装置において：
各ポケットを前記チャンバまで前進させるとともに、前記チャンバ内において前記容器を開口させて前記薬物を露出させる機構と；
前記チャンバと連通して薬剤を患者まで運ぶ空気流通路と、を含むことを特徴とする吸入装置。
【発明の詳細な説明】
【技術分野】
【０００１】
本発明は、一般に吸入装置の分野に関し、特に、振動を利用して、吸入される気体流（たとえば吸気）中に薬剤を浮遊させやすくする吸入装置と、該吸入装置とともに用いられる薬剤用ブリスターパックとに関する。
【背景技術】
【０００２】
本発明の用途は、特に、散剤（たとえば細菌性ワクチン、洞炎ワクチン、抗ヒスタミン薬、血管収縮薬、抗菌薬、抗喘息薬、テオフィリン、アミノフィリン、クロモグリク酸ナトリウム等）の吸入を容易にする分野にあるが、例えばインスリン、ビタミン等のその他の粉末状物質および／または液滴の吸入を容易にするといったようなその他の投薬用途を含むその他の用途が予期される。
【０００３】
ある一定の気道疾患においては、治療薬の直接投与による治療が功を奏することは周知である。これらの薬剤の多くは、乾燥粉末形態で最も容易に入手可能であるため、これらの投与は、前記粉末状物質を鼻または口を介して吸入することにより最も簡便に達成される。この粉末形態は、薬物を正確に、その作用が必要とされうる所望の部位に沈着させることができ、したがって、しばしば非常に微量の投与量によりその他の手段によって投与されるより大量の投与量の場合と同等の効き目を得ることができ、その結果として、望ましくない副作用の発現率と投薬代とを大幅に減らすことができるという点において、薬剤の活用率が高められるという成果をもたらす。それ以外に、この形態の薬物は、呼吸器系以外の疾患の治療に用いられうる。薬物を肺の極めて大きい表面積上に沈着させると、前記薬物は、血流中に非常に急速に吸収され得、したがって、この投与方法は、注射、錠剤またはその他の従来的な手段による投与に取って代わりうる。
【０００４】
製薬業界の見解では、薬物の生物学的利用能は、気道に送り込まれる薬物粒子が約１〜５ミクロンの大きさである場合に最適となる。この大きさの範囲内の薬物粒子を送り込むためには、乾燥散剤投与システムは、数多くの問題に対処する必要がある：
【０００５】
第一に、小径の粒子は、製造および保管中に、自身上において静電荷を生じしめる。これにより、粒子が凝集または凝結して、その結果として、約５ミクロンより大きい有効径を有する粒子塊となりうる。このため、これらの大径の塊状体が肺の深部に到達する確率が低下する。さらにまた、その結果として、患者が吸収することができる１包分の薬物の割合が低下する。
【０００６】
第二に、患者に投与されることが必要な有効薬物の投与量は、数十マイクログラム程度でありうる。たとえば、喘息を患っている患者が使用するアルブテロールという薬物の場合は、投与量は、通常的に約２５〜５０マイクログラムである。現在の製造設備は、ミリグラム単位の用量範囲の一定分量の薬物を許容可能な精度で効果的に送給することができる。したがって、標準的な慣行として、有効薬物は、ラクトース等の増量剤または増量材と混合される。この添加物もまた、薬物を「流動容易」にする。この増量剤は、薬物粒子が静電または化学結合によりこれらの粒子にも固着するため、キャリアーとも呼ばれる。しかし、これらのキャリアー粒子は、大きさにおいて、薬物粒子よりはるかに大きい。このため、乾燥散剤吸入器が薬物をキャリアーから分離させる能力は、設計の有効性において重要な性能パラメータとなる。
【０００７】
最後に、約５ミクロンを上回る大きさを有する有効薬物粒子は、一般に、口または咽喉内のいずれかに沈着する。これらの部位における薬物の生物学的利用能および吸収は、一般に肺の場合とは異なるため、このことは、また別のレベルの不確実性をもたらす。乾燥散剤吸入器は、口または咽喉内に沈着する薬物を最小限に抑えて、薬物の生物学的利用能に関連ある不確実性を低下させることが必要である。
【０００８】
従来技術の乾燥散剤吸入器（ＤＰＩ）は、一般に、薬物（有効薬物にキャリアーを加えたもの）を高速空気流中に導入する手段を有する。この高速空気流は、微粉状の粒子の塊状体を粉砕するか、または薬物粒子をキャリアーから分離させる一次機構として用いられる。こうした粉末形態の薬剤の投与に用いられるいくつかの吸入装置は、従来技術において周知である。たとえば、特許文献１                  に、散剤を内包するカプセルの頂部を穿孔または除去する手段を有する吸入装置であって、前記薬剤は、吸入と同時に、穿孔または頂部除去されたカプセルから使用者の口内へと吸い出される吸入装置が開示されている。これらの特許のいくつかに、吸入時に散剤をカプセルから排出する上で補助的役割を果たして、吸気のみに依存しなくても散剤がカプセルから吸い出されるようにするプロペラ手段が開示されている。たとえば、特許文献１には、吸入前に散剤を内包するカプセルを下側チャンバ内に配置されて有する装置であって、使用者が穿孔ピンを手で押下することにより前記カプセルが穿孔される装置が開示されている。穿孔後に吸入が開始され、カプセルは、前記装置の上側チャンバ内へと引き込まれて、前記上側チャンバにおいて全方向に動き回って、穿孔された穴から吸気流中への散剤の排出が引き起こされる。特許文献２には、多数の穿孔ピンと、プロペラ手段と、外部的な手動操作により前記プロペラ手段を動作させる自蔵式動力源とを有して、吸入と同時に前記プロペラ手段が、散剤を吸気流中に排出する上で補助的役割を果たすようになっている吸入装置が開示されている。さらにまた、特許文献３を参照されたい。
【０００９】
【特許文献１】米国特許第３５０７２７７号明細書
【特許文献２】米国特許第３５１８９９２号明細書
【特許文献３】米国特許第３６３５２１９号明細書
【特許文献４】米国特許第３７９５２４４号明細書
【特許文献５】米国特許第３８０７４００号明細書
【特許文献６】米国特許第２５１７４８２号明細書
【特許文献７】米国特許第３８３１６０６号明細書
【特許文献８】米国特許第５４５８１３５号明細書
【特許文献９】米国特許第５５９０６４５号明細書
【特許文献１０】米国特許第６０２６８０９号明細書
【発明の開示】
【００１０】
これらの従来技術の装置は、本発明の吸入装置により解決されるいくつかの問題を呈するとともに、いくつかの欠点を有する。一例として、これらの装置は、追加の機械的構成要素に依存してブリスターを穿孔しており、その結果として製造費が増加する。さらにまた、これらの従来技術の装置は、吸入時において使用者が多大な努力をして、穿孔されたカプセルから吸気流中への散剤の排出または吸出しを達成することを必要とする。これらの従来技術の装置では、一般に、吸入によって引き起こされる、カプセルの穿孔穴からの散剤の吸引によりカプセルから散剤の全部を吸い出すこと、または大部分を吸い出すことさえできず、以って薬剤の浪費を引き起こす。しかも、こうした従来技術の装置では、一貫して微粉状に放散された散剤が管理された量だけ吸入されるのではなく、むしろ管理されない量または凝集塊状の粉末状物質が使用者の口内に吸入されてしまう。
【００１１】
前記の多単位投与量ＤＰＩのまた他の主要な欠点は、穿孔機構等の複雑さに加えて、吸入器内において多数回分の投与量を収めておくことができないところにある。５０回分を超える投与量を吸入器に収めておくことができないことは、これらのＤＰＩを、一般に１００回分を超える投与量をキャニスターに収めておくことができるＭＤＩ（定量噴霧式吸入器）と競合する上で不利にする。特許文献９は、この問題に対処しようとするものである。デーヴィス（Davies）らの特許文献９には、散剤用の複数個のポケットまたはブリスターが形成される、自身に可剥的に固定される蓋シートにより覆われる基礎ストリップからなる可撓性ストリップを含むブリスターパックと共に用いられる吸入装置が説明されている。この装置は、前記ストリップを引き剥がして前記ポケットまたはブリスターを開口させる蓋巻取りホイールと；前記開口したポケットまたはブリスターと連通するマニホルドであって、それを介して使用者が前記開口したポケットまたはブリスターから粉末形態の薬剤を吸入することができるマニホルドとを含む。しかしながら、デーヴィスらの装置およびブリスターパックは、どちらかと言えば機械的に複雑であり、ポケットまたはブリスターの形状および深さにより、常に散剤を完全に利用し尽すことができるわけではない。
【００１２】
本発明は、従来技術の前記およびその他の欠点と短所とを克服する改良型のブリスターパックと吸入装置とを提供するものである。特に、本発明は、自身上において折れ目またはひだを設けられて、測定された量の薬剤または薬物が装填されうる複数個の離間するポケットを形成する膜またはテープにより形成される改良型ブリスターパックを提供するものである。
【００１３】
本発明は、さらにまた、測定された量の薬剤または薬物が装填される複数個のポケットを形成する折れ目またはひだを設けられた膜またはテープにより形成されるブリスターパックとともに機能する吸入器を提供する。
【００１４】
本発明のその他の特徴および利点は、同様の参照符号が同様の部分を示す添付図面を参照して以下の説明を読むことにより明らかになろう。
【発明を実施するための最良の形態】
【００１５】
図１を参照すると、本発明にしたがったブリスターパックは、折れ目またはひだを設けられて、測定された量の薬剤または薬物１４が装填される複数個の折り畳み部またはひだ１２を形成する細長い膜またはテープ１０からなる。テープ１０は、薬剤または薬物との接触用に認可された可撓性材料により形成される。好ましくは、テープ１０は、プラスチックフィルムとアルミニウム箔との三層体からなって、良好な防湿性を達成しうる。
【００１６】
さらにまた図２および３Ａ〜３Ｃを参照すると、図１のブリスターパックの製造は全く簡単である。細長テープ１０は、該テープにひだまたはポケット２０が形成されるひだとり工程１６に送られる。次に、測定された量の薬剤または薬物２２が装填工程２４において前記ひだ２０内に装填される。前記ひだまたはポケット２０は、その後、密封工程２８において、薬剤または薬物のまわりの２６の位置で密封される。この密封は、機械的手段、たとえばクリンピング、接着剤の使用または熱融着または圧着により達成されうる。本発明の特に好適な実施形態において、密封部２６は、熱を用いて形成される。密封パターンと、加えられる熱量および圧力とは、良好な密封部が得られる一方で、可剥分離が達成されうるようなものとされる。
【００１７】
複数個の同様のひだまたはポケットが、テープ１０を前進させるとともに、段階２２、２６および２８を繰り返すことによって、互いに離間して形成されうる。
【００１８】
図４および５を参照すると、複数個のひだまたはポケット２８を有するテープは、カートリッジ５０内にアコーディオン状に装填される。カートリッジ５０は、さらにまた、そのまわりにおいて消費されたテープ１０が巻き取られうる巻取りリール５２を含む。カートリッジ５０は、好適な実施形態では、その目的が以下に詳細に説明される１個または複数個の振動要素または圧電素子５６を含む吸入器５４内に装填される。
【００１９】
吸入装置５４は、本出願人の先行特許文献１０に記載の吸入装置と同様である。しかしながら、フィルムを引き剥がすことにより個別のブリスターを開口させるのではなく、個別のひだまたはポケットは、前記テープをブリスターの一方の側に機械的に拘束または保持するとともに前記テープを前記ひだまたはポケットの他方の側において引いて前記ひだまたはポケットを引き出すとともに、前記テープを前記圧電素子５６に対して平らに当接させるようにすることによって開口せしめられる。したがって、特許文献１０の剥離フィルム巻取りスプールの代わりに、選択的にテープを拘束または保持する手段が設けられる。この保持手段は、たとえば、テープを割り出して、開口したブリスターが圧電素子の上に配置されるようにする把持手段、移動止めまたはスプロケットからなりうる。好適な実施形態において、前記吸入器は、細長テープの縁部に形成される送り穴６４（図３Ｃ参照）に係合する鎖歯車６２を含む。使用時において、前記テープが前進せしめられて、未使用のひだまたはポケットが圧電素子５６の最上面の上に配置される。次に、鎖歯車６２は、移動止めまたは軸遊転防止装置（図示せず）によって固定され、圧電素子５６の遠位側の巻取りリール５２が前進せしめられて、ひだまたはポケットを引き開けるとともに、圧電素子５６に平らに当接させる。
【００２０】
前記圧電素子５６は、開口したひだまたはポケットが選択的に前進せしめられて前記圧電素子５６の上において前記圧電素子と接触する正位置につくと、該ひだまたはポケットの下において前記テープの底部に機械的に係合する。前記ひだを開口させるプロセスにより、圧電素子５６と接触する、平らにされたテープの表面積が最大化され、以ってテープと圧電素子５６との結合が最大限に高められる。
【００２１】
圧電素子５６は、高周波数、好ましくは超音波共振周波数（たとえば約１５〜５０ｋＨｚ）を有する材料により製作されるとともに、該圧電素子５６に印加される励振電流の周波数および／または振幅によって特定の周波数および振幅で振動せしめられる。圧電素子５６を構成するのに用いられうる材料の例には、石英および多結晶セラミック材料（たとえばチタン酸バリウムおよびチタン酸鉛ジルコネート）が含まれる。有利な点として、圧電素子５６を超音波周波数で振動させることにより、より低い周波数（すなわち非超音波）で圧電素子５６を振動させることに伴う雑音が防がれうる。
【００２２】
圧電素子５６から開口したブリスター２０内の散剤への最大限の振動力の伝達は、圧電素子５６が自身の共振周波数で振動する場合に得られる。その結果として開口したひだから使用者により吸入される空気中への散剤の非凝集化と浮遊とが最大限に高められることがわかった。好ましくは、圧電素子５６に供給される動作電流の初期周波数および振幅は、予め較正されて、圧電素子５６は、開口されたひだが存在しない場合には、自身の共振周波数で振動せしめられる。しかしながら、開口されたひだが圧電素子５６に当接して配置される場合は、テープの重さおよび張力と、前記圧電素子により浮遊せしめられる散剤の重さ、体積および粒径とが、前記圧電素子の振動特性を変化させるとともに、前記圧電素子を自身の共振周波数以外の周波数で振動させうる。このため、好ましくは、本出願人の前記特許文献１０に記載のフィードバックシステムと同様のフィードバック制御システムを用いて、前記圧電素子の振動を調節して自身の共振周波数で振動させるとともに、散剤への力の伝達が最大限に高められる。
【００２３】
これに代わる方法として、２個の圧電素子を１個の圧電素子の代わりに用いることができる。２個の圧電素子が用いられる場合は、これらの圧電素子は、異なる振幅および周波数で振動する設計とされて、すなわち、有利な点として、たとえば２つの異なる薬物が、性能またはいずれの薬物も犠牲にすることなく、同じ吸入器内において隣り合ったポケットまたは折り目から同時に放散されうるようにすることができる。本発明にしたがって製作される隣り合ったポケット８２、８４を有するテープ８０が、図６に図示されている。これにより、一緒に作用する一方で、容易に一緒に保管することができない２つの薬物を投与することが可能になる。たとえば、異なる圧電設定を必要としうるアルブテロール等の気管支拡張薬とステロイドとの両方を内包する喘息用吸入器を得ることができる。
【００２４】
これに代わる方法として、前記振動子は、磁気ひずみ素子からなりうる。磁気ひずみ振動子は、誘導磁束に呼応して材料の寸法を変化させるニッケル等の強磁性体材料によって形成されうる。
【００２５】
磁気ひずみ素子または圧電振動子の代わりに、乾燥散剤を非凝集化およびエアロゾル化するその他の手段を前記方法の代案として、または前記方法とともに用いることができる。たとえば、逆の電荷または磁荷を乾燥散剤および吸入器の部品上において誘導して、前記散剤をエアロゾル化することができる。
【００２６】
最後に、一般に参照符号７２に示される動作回路と電池７４等の電源とが、カートリッジ５０内に取り付けられる。これに代わる方法として、前記電源および動作回路は、吸入装置６０内に取り付けられうる。
【００２７】
本発明の前記実施形態は、単に本発明の原理を明確に理解するために記載された可能な実施例にすぎないことを強調しておくべきである。多くの変更および改変が、本発明の精神および原理から逸脱することなく、本発明の前記実施形態に加えられうる。このような全ての改変および変更は、本明細書において本開示および本発明の範囲内に含まれるとともに、以下の特許請求の範囲によって保護されるものとする。
【図面の簡単な説明】
【００２８】
【図１】本発明にしたがって製作されるブリスターパックの側面図である。
【図２】本発明のブリスターパックの形成を示すブロック流れ図である。
【図３Ａ】本発明のブリスターパックの形成を示す斜視図である。
【図３Ｂ】本発明のブリスターパックの形成を示す斜視図である。
【図３Ｃ】本発明のブリスターパックの形成を示す斜視図である。
【図４】本発明にしたがって製作されるブリスターパック・カートリッジの部分断面側面図である。
【図５】本発明にしたがって製作される吸入器の部分断面側面図である。
【図６】本発明にしたがって製作されるまた他の形態のブリスターパックの平面図である。
【図１】
2007522840.tif 000003
【図２】
2007522840.tif 000004
【図３Ａ】
2007522840.tif 000005
【図３Ｂ】
2007522840.tif 000006
【図３Ｃ】
2007522840.tif 000007
【図４】
2007522840.tif 000008
【図５】
2007522840.tif 000009
【図６】
2007522840.tif 000010
【手続補正書】
【提出日】平成18年10月4日(2006.10.4)
【手続補正１】
【補正対象書類名】特許請求の範囲
【補正対象項目名】全文
【補正方法】変更
【補正の内容】
【特許請求の範囲】
【請求項１】
吸入装置において用いられる薬剤容器において：
２つ折りにされて、内向き壁部を有する少なくとも１個のひだを形成するシート状材料１０からなり、前記内向き壁部の少なくとも一部分は、互いに貼り合わされて薬剤用ポケット２０を形成することを特徴とする薬剤容器。
【請求項２】
（ａ）前記ポケット２０内に薬物を有することと；
（ｂ）複数個の離間するポケット２０を有する単一シート１０からなることと；
（ｃ）前記単一シート１０は、生体適合材料により形成されることと；
（ｄ）各々の前記ポケット２０は、測定された量の薬剤を保持することと；
（ｅ）前記薬剤は、乾燥散剤からなること、との１つ以上の特徴を有することを特徴とする請求項１に記載の容器。
【請求項３】
吸入装置に用いられる薬剤容器において：
折り畳まれて複数個のポケット２０を形成された単一の細長テープ８０からなり、各々の前記ポケットは、薬剤を内包することを特徴とする薬剤容器。
【請求項４】
（ａ）各ポケット２０は、自身の縁部に隣接して密封されることと；
（ｂ）複数個の隣り合ったポケット８２、８４を含むことと；
（ｃ）前記複数個のポケット８２、８４の少なくともいくつかは、異なる薬剤を内包することと；
（ｄ）前記ポケット８２、８４の縁部は、密封されることと；
（ｅ）前記ポケット８２、８４の縁部は、ヒートシールされることと；
（ｆ）前記ポケット８２、８４の縁部は、接着剤により密封されることと；
（ｇ）前記テープ８０は、三層体からなることと；
（ｈ）前記テープ８０は、プラスチックフィルムとアルミニウム箔との三層体からなることと；
（ｉ）アコーディオン状に折り畳まれる複数個のポケット１２を含むことと；
（ｊ）前記薬剤は、乾燥散剤からなること、との１つ以上の特徴を有することを特徴とする請求項３に記載の容器。
【請求項５】
細長シートを折り畳んでポケットを形成させる段階と；
薬物を前記ポケット内に入れる段階と；
前記ポケットの縁部を密封して前記薬物を内包させる段階と、からなることを特徴とする薬物保管装置の製造方法。
【請求項６】
前記ポケットの前記縁部は、熱または接着剤を用いて密封されることを特徴とする請求項５に記載の薬物保管装置の製造方法。
【請求項７】
ひだを設けられた細長シートを用意する段階と；
薬物を少なくとも１個の前記ひだ内に入れる段階と；
前記ひだの縁部を密封して前記薬物を内包させる段階とからなること、を特徴とする薬物保管装置の製造方法。
【請求項８】
請求項３に記載の薬剤容器とともに用いられる吸入装置において：
前記薬剤を非凝集化する機構５６を備えるチャンバと；
各ポケットを前記チャンバまで前進させるとともに、前記チャンバ内において前記ポケットを開口させる機構５２、６２と；
非凝集化された薬剤を前記チャンバから運ぶ空気流通路５４と、からなることを特徴とする吸入装置。
【請求項９】
（ａ）前記薬剤容器は、巻物状の形態をとることと；
（ｂ）前記薬剤容器は、ひだを設けられたテープの形態をとることと；
（ｃ）前記薬剤容器は、カートリッジ５０の形態をとることと；
（ｄ）前記カートリッジ５０は、使い捨て型であることと；
（ｅ）前記カートリッジ５０は、電源７４を含むことと；
（ｆ）前記薬剤を非凝集化する前記機構は、振動子５６からなることと；
（ｇ）前記振動子は、圧電振動子５６からなることと；
（ｈ）２個以上の圧電振動子５６からなることと；
（ｉ）前記チャンバと連通して薬剤を患者まで運ぶ空気流通路５４を含むこと、との１つ以上の特徴を有することを特徴とする請求項８に記載の吸入装置。
【請求項１０】
請求項１に記載の薬剤容器とともに用いられる吸入装置において：
前記薬剤容器を受けるとともに、前記容器を開口させて前記薬物を露出させる機構５２、６２と；
前記薬物を患者まで運ぶ空気流通路５４と、を含むことを特徴とする吸入装置。
【国際調査報告】
2007522840.tif 000011